(57)【特許請求の範囲】
【請求項１】
魚と水を収容できる中空部から表面に貫設され密閉可能に開閉自在の第２シャッタを備えた活魚出口が臨まされる中空部に魚が泳いで通過可能とされ密閉可能に開閉自在の第１シャッタを備えた孔が臨まされる中空部を備える中空の本体と、該本体から延出され前記本体中空部に連通される中空部に魚が泳いで通行可能な水路が形成可能とされる移送パイプと、前記本体中空部に開口するチューブが方向切換弁及びポンプ手段と接続され該ポンプの駆動により吸引・吐出される外部水を前記本体中空部内に入出可能な水流発生手段とを備え、前記第１シャッタを閉じて前記孔を密閉した後、前記第２シャッタを開いて水没された前記活魚出口が開放され該活魚出口が臨まされる中空部内の魚が泳いで前記本体の外に移動可能とされることを特徴とする活魚移送装置
【請求項２】
請求項１記載の本体中空部に前記移送パイプの中空部が臨まされると共に魚が泳いで通過可能とされ密閉可能に開閉自在の第１シャッタを備えた孔が臨まされる前室と該孔を介して連通され密閉可能に開閉自在の第２シャッタを備えた前記活魚出口が臨まされる後室とが形成され、前記本体中空部に開口するチューブが方向切換弁及びポンプ手段と接続され該ポンプの駆動により吸引・吐出される外部水を前記本体中空部内に入出可能な水流発生手段が備えられて第１シャッタを閉じて前記孔が密閉された前記前室に前記水流発生手段の駆動による活魚導入水流の付与中に第２シャッタを開けて水没された前記活魚出口を開放し前記後室から魚が泳いで前記本体の外に移動可能とされることを特徴とする活魚移送装置
【発明の詳細な説明】
【０００１】
【産業上の利用分野】
本発明は、活魚を移送元水域から移送先水域に空中に配設される移送パイプに形成される水路を介して移送する活魚移送装置に関する。
【０００２】
【従来の技術】
特公平７―１１２３９９号に本発明人による「生き魚分離方法及び其の装置」が開示されている。
ここでは、移送元水槽内を進退自在とされ移送先水槽に連通する水路の開口部に近接離反可能とされる移動子と水路内を進退自在とされる第２移動子が備えられて活魚を移送元水槽から連結部材に形成される水路を通らせて移送先水槽に移動させている。
しかしながら、魚の頭を水路に向けさせる手段として移送元水槽内を進退自在とされる移動子と採光可能な水路が備えられ、魚を頭から水路に進入させる手段として移送元水槽内を進退自在とされる移動子が備えられており、さらに、水路内に進入した魚を進行させる手段として水路内を進退自在とされる第２移動子が備えられているが、水路の周辺も明るいため魚が速やかに水路を見つけることができず水路に到達する時間が長い。また、移動子の材質が限定されておらず網材で移動子を製作すると魚が水路を向かず移動子の方を向いて網目に頭を突っ込んで移動子の外側に逃げようとする逃避行動をとる。さらにまた、連結部材に形成される静止水路に大量に魚を送ると移送先の水槽内に移動してきた時、一時的に腹を天に向ける魚や魚種があった。また、第２移動子が無いと頭から入った魚は水路内で停止し自力で進行しようとしない魚種があり、利用される魚種が限定されるという問題があった。
【０００３】
そこで、水路内に魚を強制進入させ、進入した魚を強制進行させる手段として、移送パイプに形成される水路に魚を移送すべき方向に水流を付与して魚を送る技術が特開昭５７―１８４０２２号の「活魚の移収方法並びに其の装置」が開示されており、ここでは、作業員が移送パイプの先端を鰯蓄巻網内の活鰯の集まっている所に持って行き、移送パイプの先端から活鰯を海水と共に吸引している。
しかしながら、魚の頭を吸入パイプの吸入口を向かせる手段、吸入パイプに頭から進入させる手段、水路内に進入した魚を頭から進行させる手段が欠落している為、活魚は流れに流されないように流れの上流側に頭を向けて泳ぐ習性があり、吸引流のある移送パイプの吸引口に尾鰭を向けて逃避行動を続ける。
この際、活魚の泳力が移送パイプ内の吸引力より弱いと、活魚は移送パイプ内に吸引されて尾鰭が移送方向（流れの下流方向）を向いた状態で流されることにより移送される。
しかし、活魚の泳力が吸引力より強いと活魚は移送パイプ内に吸引されない。従って、当技術は泳力の弱い魚の移送に限定されるという問題があった。
また、吸入口から一定以上離間すると吸引力が激減するので吸入口から一定以上離間している魚は吸引できないという問題があった。
さらにまた、魚は鰭を立てて流れに逆らいながら尾鰭を移送方向に向けて流されるので姿勢が安定せず移送速度も安定しない。このため、複数の魚が同時に吸引される場合は移送パイプ内で詰まり易い。また、泳いでいる魚に対する計数装置や体表観察等の計測装置に応用できないという問題があった。
【０００４】
そこで、吸入口近傍の魚の密度を自動的に高めるための技術が実公平２―９６５６号の「フイッシュポンプの集魚装置」に開示されており、ここでは、容器状の網体の下辺にドーナツ型のタンクが取付けられ、該タンクの下面に漏斗部を設け、該漏斗部にフイッシュポンプに接続した吸入パイプの吸入口を開口させてドーナツ型のタンクを浮上させて網体内の魚の泳行範囲を縮減させて網体内に収容される活魚を吸入パイプの吸入口から吸引するようにされている。
しかしながら、ドーナツ型のタンクの浮上似より吸入口近傍の魚の密度が自動的に高まり魚が吸引され易くなる点は改良が認められるが、前述引例同様、吸入パイプに魚を頭から入れ進行方向に頭を向けて魚を移動させる技術思想が欠落している為、吸引力より弱い泳力を持つ魚しか吸引できない。従って、当技術も泳力の弱い魚の移送に限定されるという基本的問題があった。
ところが、当技術は容器状の網体内に収容される活魚がドーナツ型のタンクの浮上による網体内の魚の泳行範囲の縮減に伴い暗い吸入パイプ内水路に吸込まれまいとして必死の逃避行動をする結果、吸入パイプに尾鰭を向けて網体の網目を介して網体外に逃げようとして網目に頭を突っ込んだ後、尚も逃避行動をとるので魚に擦れ傷が付くという問題があった。
さらに、このようなパニック状態になると、吸引されない魚の密度が高くなり魚同士が接触してひどい擦れ傷が付くという問題があった。
さらにまた、吸引できる魚の範囲を広げるためには吸引手段の能力を上げる必要があるが、これにより装置が大型・高価になるという問題があった。
【０００５】
【発明が解決しようとする課題】
本発明は、上記問題点を解決するために為されたもので、移送元水槽と移送先水槽とを連通する移送パイプに形成される水路に活魚を頭から進入させて魚の泳力を利用して頭を移送方向に向けて魚を移動させる活魚移送装置を提供し、安価な道具を使って活魚を傷付けることなく人為的移送を可能にすることを目的とする。
【０００６】
【課題を解決するための手段】
本発明による請求項１の活魚移送装置は、魚と水を収容できる中空部から表面に貫設され密閉可能に開閉自在の第２シャッタ８を備えた活魚出口９が臨まされる中空部に魚が泳いで通行可能とされ密閉可能に開閉自在の第１シャッタ１０を備えた孔２ａが臨まされる中空部を備える中空の本体１と、該本体１から延出され前記本体中空部に連通される中空部に魚が泳いで通行可能な水路が形成可能とされる移送パイプ１４と、前記本体中空部に開口するチューブが方向切換弁及びポンプ手段と接続され該ポンプの駆動により吸引・吐出される外部水を前記本体中空部内に入出可能な水流発生手段とを備え、前記第１シャッタ１０を閉じて前記孔２ａを密閉した後、前記第２シャッタ８を開いて水没された前記活魚出口９が開放され該活魚出口９が臨まされる中空部内の魚が泳いで前記本体の外に移動可能とされることを特徴とする。
【０００７】
また、請求項２の活魚移送装置は、請求項１記載の本体１中空部に前記移送パイプ１４の中空部が臨まされると共に魚が泳いで通過可能とされ密閉可能に開閉自在の第１シャッタ１０を備えた孔２ａが臨まされる前室３と該孔２ａを介して連通され密閉可能に開閉自在の第２シャッタ８を備えた前記活魚出口９が臨まされる後室４とが形成され、前記本体中空部に開口するチューブが方向切換弁及びポンプ手段と接続され該ポンプの駆動により吸引・吐出される外部水を前記本体中空部内に入出可能な水流発生手段が備えられて第１シャッタ１０を閉じて前記孔２ａが密閉された前記前室３に前記水流発生手段の駆動による活魚導入水流の付与中に第２シャッタ８を開けて水没された前記活魚出口９を開放し前記後室４から魚が泳いで前記本体１の外に移動可能とされることを特徴とする。
【０００８】
また、応用例の活魚移送装置は、一端が移送元水槽の水中に水没され他端が移送先水槽の水中に水没され少なくとも移送元水槽の水中に水没される先端部分が採光可能とされ中空部に魚が通行可能な水路が形成される移送パイプと、該移送パイプの移送元水槽の水中に水没される先端に連結され魚を移送パイプ内の水路に導入させる活魚導入部材と、前記移送パイプの略最高所の壁に貫通される排気口を介して移送パイプの中空部内の空気を排出する手段と、前記移送パイプの壁に貫通される注水口を介して移送パイプの中空部内に外部の水を注水し移送パイプ内水路に水流を付与する手段を備えたことを特徴とする。
【０００９】
また、別の応用例の活魚移送装置は、一端が移送元水槽の水中に水没され他端が移送先水槽の水中に水没され少なくとも移送元水槽の水中に水没される先端部分が採光可能とされ中空部に魚が通行可能な水路が形成される移送パイプと、該移送パイプの移送元水槽の水中に水没される先端に連結され魚を移送パイプ内の水路に導入させる活魚導入部材と、前記移送パイプの略最高所の壁に貫通される排気口を介して移送パイプの中空部内の空気又は／及び水を排出する手段とを備え移送パイプ内水路に水流を付与可能にしたことを特徴とする。
【００１０】
さらにまた、別の応用例の活魚移送装置は、前記移送パイプが透明な材料から成り前記移送パイプの移送元水域の水中に臨まされる先端部に基端部が接続され前記移送パイプを被覆して前記移送パイプの軸方向に伸縮自在とされる有色の追出し手段を備えたことを特徴とする。
【００１１】
さらにまた、別の応用例の活魚移送装置は、前記移送パイプに形成される水路を進退自在とされる移動子を備えた水路内追出し手段を備えたことを特徴とする。
【００１２】
【作用】
例えば、まず、活魚が飼育される移送元水槽に魚と水を収容できる中空部から表面に貫設され密閉可能に開閉自在の第２シャッタを備えた活魚出口が臨まされる中空部に魚が泳いで通行可能とされ密閉可能に開閉自在の第１シャッタを備えた孔が臨まされる中空部を備える中空の本体から延出され前記中空部に連通される中空部に魚が通行可能な水路が形成可能とされ先端に活魚導入部材が連結される移送パイプの先端を水没させる。次いで、水流発生手段を作動させると移送元水槽と本体中空部とが移送パイプに形成される水路を介して水路で接続されると共に前記水路に前記本体から移送元水槽に向かう活魚の泳力より弱い水流が与えられる。
次いで、泳行範囲縮減部材と前記活魚導入部材を対向させこの間に魚を集めた後、泳行範囲縮減部材を活魚導入部材に近接させると活魚は逃避行動として頭を移送パイプ側に向け、移送パイプに形成された明るく対向流のある水路に頭から進入して対向流に含まれる十分な酸素を吸収しながら該水路を自力で通過して前記本体の後室に移動する。
また、泳行範囲縮減部材と前記活魚導入部材とで囲繞される魚の泳行範囲を暗くすると移送パイプに形成された明るく対向流のある水路に頭から進入して対向流に含まれる十分な酸素を吸収しながら該水路を自力で通過して前記本体の後室に移動する。
次いで、前記本体に形成される活魚出口を移送先水槽の水中に水没させて第１シャッタを閉じて第２シャッタを開けると活魚出口が開放されて前記本体の後室に収容された活魚が頭を移送先水槽に向けて自力で泳いで移動する。これにより、活魚が移送元水槽から移送先水槽に活魚移送装置を介して自力で泳ぎながら傷付くことなく移送される。
【００１３】
【実施例】
以下に本発明に係わる活魚移送装置について望ましい実施例を図面に従って説明するが、これにより本発明は何等限定されるものではない。
【００１４】
【実施例１】
本発明に係わる第１実施例の活魚移送装置は請求項２に示されるもので、稚魚及び成魚を移送できる汎用性の高い活魚移送装置である。
図１において、１は中空体とされる本体。２は本体１の中空部を前室３と後室４との２室に隔室化し、中央部に魚が通過可能な孔２ａが貫設される仕切板。５は本体１の上部から水平に延出される円筒状の入口側パイプ接続部。６は本体１の下部に適宜離間されて取付けられる一対の軸受け。７は一対の軸受けに橋架されて回動自在とされる軸。８は軸７に取付けられて枢動自在とされ本体１の底面に貫設される活魚出口９を水密可能に塞ぐことができる第２シャッタ。１０は本体１の上面に取付けられる上下動用駆動手段としてのエアシリンダ１１の出力軸の先端に連結されエアシリンダ１１の作動により、上下動自在とされ仕切板２に貫設される孔２ａを水密可能に開閉自在とされる第１シャッタ。１２は前室３内の採光用の照明装置。１３は後室４内の採光用の照明装置。１４は入口側パイプ接続部５に着脱可能に水密接続され移送元水槽Ｂの水中に先端が水没される透明の可撓性を有す移送パイプ。
【００１５】
１５は自吸式ポンプ、１６は第１方向切換弁、１７は第３方向切換弁、１８は第２方向切換弁、１９は第４方向切換弁、２０は流量調節弁、１００は逆止弁、３１・３２・３３・３４・３５・３６・３７・３８はチューブであり、自吸式ポンプ１５によってチューブ３１、第１方向切換弁１６、チューブ３２を介して前室３内の水を吸引可能とされると共にチューブ３７、第３方向切換弁１７、チューブ３８、第１方向切換弁１６、チューブ３２を介して後室４内の水を吸引可能とされている。さらに、自由先端を有すチューブ３８、第３方向切換弁１７、チューブ３８、第１方向切換弁１６、チューブ３２を介して任意の外部貯水部から水を吸引できる。
一方、自吸式ポンプ１５が吸引した水はチューブ３３、第２方向切換弁１８、チューブ３４を介してチューブ３４の先端から放出可能とされると共にチューブ３３、第２方向切換弁１８、チューブ３５、第４方向切換弁１９、チューブ３６を介して前室３やチューブ３３、第２方向切換弁１８、チューブ３５、第４方向切換弁１９、チューブ３５を介して後室４に放出可能とされている。
【００１６】
２１は移送元水槽Ｂを２室に隔室化し、該２室の間を魚が往来できないようにされ中央部に移送元水槽Ｂ内の魚が通過可能とされる円形の孔が貫設され該孔と移送パイプ１４の中空部が連通されて移送パイプ１４の先端が着脱可能に接続される水密材料製の活魚導入部材であり、移送元水槽Ｂ内の魚が前記孔を通って移送パイプ１４に形成される水路に進入可能とされている。
２２は移送元水槽Ｂ内に活魚導入部材２１と対向して配設され活魚導入部材２１とで囲繞される水域内の魚を前記孔を介して移送パイプ１４に形成される水路に追込み可能に進退自在に配設される水密材料製の泳行範囲縮減手段。
５０は前記活魚導入部材２１と前記泳行範囲縮減手段２２とで構成される魚を頭から移送パイプ１４に進入させる手段。
４０は前室３内に進入してくる水の水位を検出するフロートスイッチ。４１は本体１の上面に取付られ前室３の室内と室外とを連通・遮断可能とされる真空破壊弁である。
なお、Ａは魚を移送させる先の移送先水槽、Ｂは群れを成して泳ぐようになった稚魚又は成魚が飼育される移送元水槽である。
【００１７】
以上の構成において、その作用を図１乃至図５を用いて説明する。
図１のように各種装置を配置して、図示しない起動スイッチを入れると、図２の（１）で分かるように、自吸式ポンプ１５が作動してチューブ３８、第３方向切換弁１７、第１方向切換弁１６、チューブ３２の中空部に存する空気が自吸式ポンプ１５によって吸引され、チューブ３３、第２方向切換弁１８、チューブ３５、第４方向切換弁１９、チューブ３５を介して後室４に排気され、さらに、真空破壊弁４１から本体１の外に排気される。（チューブ３３、第２方向切換弁１８、チューブ３４を介してチューブ３４の先端から排気しても良い）
この後、チューブ３８、第３方向切換弁１７、第１方向切換弁１６、チューブ３２の中空部内の空気が移送元水槽Ｂから進入する水に置換されるとその水はチューブ３３、第２方向切換弁１８、チューブ３５、第４方向切換弁１９、チューブ３５を介して後室４に供給される。
後室４に水が供給されて水位を上げていくが前室３内に備えられるフロートスイッチ４０の位置に達するとフロートスイッチ４０が水位を検出し、その情報を図示しないコントローラに送り該コントローラが図示しないソレノイドに働き掛けて第１方向切換弁１６、第２方向切換弁１８を切換え、真空破壊弁４１を閉じる。
【００１８】
すると、図２の（２）で分かるように、移送パイプ１４、前室３の中空部に存する空気がチューブ３１、第１方向切換弁１６、チューブ３２を介して自吸式ポンプ１５によって吸引され、チューブ３３、第２方向切換弁１８、チューブ３４を介してチューブ３４の先端から排気される。
これにより、移送パイプ１４、前室３の中空部内の圧力が次第に減圧され移送元水槽Ｂ内の水が移送パイプ１４の中空部に進入し、水位が漸次上昇される。
移送パイプ１４内の水位上昇が進行して、移送パイプ１４と前室３内の空気が完全に排気されて移送パイプ１４から進入する水が移送パイプ１４、前室３、後室４内の中空部に充満されると、その水はチューブ３１、第１方向切換弁１６、チューブ３２を介して自吸式ポンプ１５によって吸引され、チューブ３３、第２方向切換弁１８、チューブ３４を介してチューブ３４の先端から排出される。
【００１９】
続いて、第１方向切換弁１６、第３方向切換弁１７、第２方向切換弁１８が切換えられて図３の（３）に示すように、先端が移送元水槽Ｂの水中に水没されるチューブ３８、第３方向切換弁１７、チューブ３８、第１方向切換弁１６、チューブ３２を介して自吸式ポンプ１５が水を吸引してチューブ３３、第２方向切換弁１８、チューブ３５、第４方向切換弁１９、チューブ３５を介して後室４内にその水を排出する。
これにより、前室３を経て移送パイプ１４から移送元水槽Bに戻される。
この際、移送パイプ１４内に形成される水路内を移送元水槽Ｂに向かう水流の流速は流量調節弁２０により移送元水槽Ｂで泳ぐ魚の泳力より小さく調整されている。
【００２０】
続いて、図３の（４）に示すように、泳行範囲縮減手段２２を活魚導入部材２１に向かって移動させると魚は漸次活魚導入部材２１側に移動する。この際、魚は泳行範囲縮減手段２２からの逃避行動と移送パイプ１４から流出される水流に対向する習性とで頭を移送パイプ側に向けて泳ぐ。
この際、泳行範囲縮減手段２２と活魚導入部材２１は水密性の材料製なので魚は確実に逃避行動をとる効果がある。（泳行範囲縮減手段２２と活魚導入部材２１が網製等多孔性の材料だと、魚は孔から逃げようとして活魚導入部材又は泳行範囲縮減手段に形成される孔に口先を突っ込んで泳ぎ続けるものが多い）
次第に泳行領域が縮減されることに危機感を感じる魚は移送パイプ１４に形成される水路に奥行きを感じて退避場所として選択し、ついには頭から移送パイプ１４に形成される水路に進入して該移送パイプ１４を通って照明装置１２が消灯されて暗くされた前室３に進入するが、明るさを求める習性を持つ魚は照明装置１３が点灯されて明るくされた後室４に速やかに移動・退避する。
【００２１】
図示しない後室４内の魚の密度を検出する手段が魚の密度を検出し、予め設定された密度を越えると、その情報を図示しないコントローラに送り該コントローラが図示しないソレノイドに働き掛けて方向切換弁１７、１９を切換えて図４の（５）に示すように、水を移送元水槽Ｂと後室４から吸引する一方、その水を前室３と後室４に供給すると共にエアシリンダ１１に働き掛けて第１シャッタ１０を下降させて孔２ａを水密可能に塞ぐ。また、照明装置１２を点灯させる。
これにより、密閉された後室４に移送元水槽Ｂの新鮮な水が供給されると共に前室３を介して同様の水が移送パイプ１４に形成される水路に供給されるので、絶えることなく魚が移送パイプ１４を通って明るい前室３内に移動してくる。
【００２２】
第１シャッタ１０が孔２ａを水密可能に塞ぐと、その情報が図示しないコントローラに送られ該コントローラが図示しない駆動手段に働き掛けて図４の（６）に示すように、第２シャッタ８を枢動させて活魚出口９を開放させると共に照明装置１３を消灯させる。これにより、魚は暗くなった後室４から太陽光が進入して明るく開放感のある移送先水槽Aに頭を向けて自力で泳いで移動・退避する。
【００２３】
魚の密度検出手段が後室４内に魚が居なくなった事を検出すると、その情報が図示しないコントローラに送られ該コントローラが図示しない駆動手段に働き掛けて、図５の（７）に示すように、第２シャッタ８を枢動させて活魚出口９を水密可能に塞ぐと共に照明装置１３を点灯させる。
【００２４】
続いて、図５の（８）に示すように、照明装置１２が消灯されると共にエアシリンダ１１が作動されて第１シャッタ１０を上昇させて孔２ａが開放された後、方向切換弁１７、１９が切換えられて移送元水槽Ｂから吸引される水が後室４に供給される。
この際、第１シャッタ１０の縁端と前室３の内壁との間に存する間隙及び第１シャッタ１０の上昇端における第１シャッタ１０の上面と前室３の天井との間に存する間隙はこの室内に進入する魚の体高より大きくされているので魚は第１シャッタ１０の動作を容易に交わして後室４に移動する。
【００２５】
このようにして、図３の（４）から図５の（８）を繰り返して所要の魚を移送先水槽Ａに移送させたら各機器を原位置状態に戻した後、真空破壊弁４１を切り換えて前室３の室内を大気に開放すると重力により室内の水の一部が移送パイプ１４を介して移送元水槽Ｂに戻される。この後、該活魚移送装置を適当な位置に移動して第２シャッタ８を開いて活魚出口９を開放して本体１内の残水を流出させて次の移送に備える。
【００２６】
以上詳述したように、魚の頭を移送パイプ１４の入口に向かせる手段として移送パイプ１４から移送元水槽Ｂに吐出される水流と活魚導入部材２１と泳行範囲縮減手段２２を備え、また、移送パイプ１４に頭から進入させる手段として採光可能な移送パイプ１４と移送パイプ１４から移送元水槽Ｂに吐出される水流と活魚導入部材２１と泳行範囲縮減手段２２を備え、さらに、水路内に進入した魚を頭から進行させる手段として、自力で泳ぐことが出きる魚に限られるが、採光可能な移送パイプ１４と進行方向と対向する魚の泳力より小さい水流を付与して自然状態に近い水の流れを形成可能にしたので魚が自力で自然な姿勢で泳ぐので魚に与えるストレスが最小になり、魚に傷を付けない。また、魚を移送するエネルギーが小さくて良い等の効果がある。
【００２７】
なお、泳力の弱い稚魚は移送パイプ１４から移送元水槽Ｂに向かう水流に逆らって移送パイプ１４に形成される水路を進行できない場合がある。この際は、図２の（２）に示すように、自吸式ポンプ１５によって移送パイプ１４と本体１の中空部に水を充満させた状態でチューブ３１、第１方向切換弁１６、チューブ３２を介して自吸式ポンプ１５によって吸引し、チューブ３３、第２方向切換弁１８、チューブ３４を介してチューブ３４の先端から排出するようにすると移送元水槽Ｂの水が移送パイプ１４を介して本体１に吸引される。この吸引速度は自吸式ポンプ１５と第２方向切換弁１８との間のチューブ３３に接続することができる図示しない流量調節弁によって調整することができる。
これにより、移送パイプ１４の先端部に集められた稚魚は吸引されて移送パイプ１４を介して本体１の前室３内に強制移送される。この後、前述実施例同様に明るくされた後室４に稚魚が移動して前述同様にして移送先水槽Ａに移動する。（後室４に隔離された稚魚は活魚出口９を開放して移送元水槽Ｂから吸引する水をチューブ３５から後室４に排出して、後室４から移送先水槽Ａに向かう水流によって稚魚を送り出しても良い。この際は、チューブ３７によって後室４内の水が吸引されないように第３方向切換弁１７を切換えておく）
【００２８】
又、泳力が強い成魚を吸引することもできる。この際は、移送パイプ１４の内径を成魚が方向転換できないように体長の概ね半分ぐらいのサイズにして、移送パイプ１４から水を噴出させて魚を頭から移送パイプに形成される水路に進入させた後、方向切換弁を切換えて吸引水流を発生させると、該吸引水流にのって成魚が移送パイプ１４を介して本体１の前室３内に移送され、前述実施例同様にして移送先水槽Ａに移動する。
【００２９】
このように、本第１実施例の活魚移送装置は魚の泳力に応じて自在に吸引流又は噴出流を発生させる事ができるので稚魚から成魚まで魚体の大きさに制限を受けることなく幅広い魚種を移送できる卓越した効果がある。
【００３０】
なお、上記実施例では、移送パイプ１４と本体１の中空部を減圧する手段と減圧されて置換された水を排出する手段を自吸式ポンプ１５で兼用させたがこれに限るものではない。すなわち、請求項１に示すように、中空部を減圧する手段として真空ポンプを利用し、置換された水を排出する手段として水中ポンプや呼び水が必要なポンプ等を利用しても良いことは言うまでもない。こうすると、ポンプ機器が真空ポンプと水排出ポンプの２基になりスペースが倍になる欠点があるが適正な排気（排出）能力を持つポンプを選択できる利点もある。
【００３１】
また、上記実施例では、前室３と後室４の採光手段として照明装置を用いたがこれに限るものではない。すなわち、前室３と後室４の外に面した壁の一部又は大部分を透明の材料で作って中空部内を採光可能にして、該透明な壁を遮光部材によって隠蔽可能にして、必要に応じて遮光部材によって透明壁を隠蔽しても良い。
【００３２】
【実施例２】
本第２実施例の活魚移送装置は請求項２に示されるもので、車載水槽等小さい水槽に活魚を移送する場合に利用される。
なお、上記第１実施例の説明で用いた図１に示した部分と同一部分には同一符号を付し、ここでは重複する説明を省略する。
【００３３】
図６において、５６はトラックに積載される水槽Ａの開口部を水密可能に塞ぐことができる蓋であり、水槽Ａに着脱自在とされている。この蓋５６の中央部に移送元水槽Ｂとされる活魚運搬船の水中を泳ぐ魚が通過可能な孔が貫設され、蓋５６の上面に突設される円筒状の入口側パイプ接続部５７の中空部と連通されている。
１４は入口側パイプ接続部５７に着脱可能に水密接続され移送元水槽Ｂの水中に先端が水没される透明の可撓性を有す移送パイプ。
５４は移送パイプ１４の先端に移送パイプ１４の軸心を中心として回動自在に接続される透明の樹脂から成るエルボパイプ
５０は魚を頭から移送パイプに進入させる手段であり、遮光率８０％以上とされる黒色の柔軟性を有す材料で形成される円錐筒状の活魚導入部材としての中空体５１と該中空体５１の基端側開口部を常時開口可能に連結されるリング状の針金５２と該針金５２に取付けられる操作棒５３とから成り、中空体５１の先端開口部が金網パイプ５５を介してエルボパイプの先端に接続されて中空体５１、金網パイプ５５、エルボパイプ５４、移送パイプ１４、水槽Ａの中空部が連通されて接続されている。
【００３４】
１５は自吸式ポンプ、１６は第１方向切換弁、１８は第２方向切換弁、３１・３２・３３・３４・３５はチューブであり、自吸式ポンプ１５によってチューブ３１、第１方向切換弁１６、チューブ３２を介して水槽Ａ内の水を吸引可能または自由先端を有すチューブ３８、第１方向切換弁１６、チューブ３２を介して任意の貯水部から水を吸引できる。一方、自吸式ポンプ１５が吸引した水はチューブ３３、第２方向切換弁１８、チューブ３４を介してチューブ３４の先端から放出可能またはチューブ３３、第２方向切換弁１８、チューブ３５を介して水槽Ａ内に放出可能とされている。
６０は追出し手段であり、移送パイプ１４の先端部に基端が取付けられて移送パイプ１４を被覆して移送パイプ１４の軸方向に伸縮自在とされ蛇腹状の筒状とされる黒色の遮光率１００％とされる柔軟性材料から成る追出部材５９であり、先端には開口部を常時開口可能にリング状の針金が連結され該針金に操作棒５８が取付けられている。
６５は公知の計数装置であり移送パイプ１４に形成される水路を通ってくる魚を１尾づつ計数可能とされている。
【００３５】
以上の構成においてその作用を図６に基ずいて説明する。
実施例１と同様に自吸式ポンプ１５が作動されると、移送パイプ１４、水槽Ａの中空部に存する空気がチューブ３１、第１方向切換弁１６、チューブ３２を介して自吸式ポンプ１５によって吸引され、チューブ３３、第２方向切換弁１８、チューブ３４を介してチューブ３４の先端から排気され、ついには、実施例１と同様に移送パイプ１４、水槽Ａ内の中空部に移送元水槽Ｂから吸引される水が充満されると、その水はチューブ３１、第１方向切換弁１６、チューブ３２を介して自吸式ポンプ１５によって吸引され、チューブ３３、第２方向切換弁１８、チューブ３４を介してチューブ３４の先端から排出される。
【００３６】
続いて、第１方向切換弁１６、第２方向切換弁１８が切換えられて先端が海中に水没されるチューブ３８、第１方向切換弁１６、チューブ３２を介して自吸式ポンプ１５が水を吸引してチューブ３３、第２方向切換弁１８、チューブ３５を介して水槽Ａ内にその水を排出する。
これにより、水は水槽Ａを経て移送パイプ１４から移送元水槽Ｂに送られる。
この際、移送パイプ１４内に形成される水路内を移送元水槽Ｂに向かう水流の流速は自吸式ポンプ１５と第２方向切換弁１８との間のチューブ３３に接続することができる図示しない流量調節弁によって移送元水槽Ｂで泳ぐ魚の泳力より小さく調整されている。
【００３７】
続いて、魚を頭から移送パイプに進入させる手段５０の操作棒５３を操作して魚を中空体５１の中空部内に掬い捕ると、掬い捕られた魚は最大の危機感を持ち緊急非難行動を取り中空体５１内の暗闇の中でもエルボパイプ５４から放出される水流と透明で太陽光を通して明るい金網パイプ５５を介してエルボパイプ５４側に本能的に頭を向けるやエルボパイプ５４に形成される水路に頭から進入して移送パイプ１４を通って透明の窓から太陽光が採光されて明るくされた水槽Ａに速やかに移動・退避する。
【００３８】
なお、移送パイプ１４に形成される水路に滞留する魚が居た場合は操作棒５８を持って追出し手段６０の先端の針金を移送パイプ１４の表面に摺接させてその魚に接近させると、摺接音と闇黒化に驚いて速やかに明るくされた水槽Ａに移動する。
この、追出し手段６０は当実施例に限られるものではなく、下記の実施態様例でもよい。
１）移送パイプ１４の表面に適宜間隙を介して被覆され移送パイプ１４の軸方向に進退自在とされる遮光率５０％以上の材料から成り内面が有色（好ましくは黒色）とされる筒状の追出部材を進退させる構成
２）移送パイプ１４の表面に適宜間隙を介して被覆され移送パイプ１４の軸方向に進退自在とされる筒状の追出部材が少なくとも魚の進行方向に移動する際、音を発生可能（追出部材と移送パイプ１４の表面との摺接音や打撃音も含む）とされている構成
３）移送パイプ１４の太陽と対向する表面側を移送パイプ１４の軸方向に進退自在とされる追出部材を進退させる構成
【００３９】
また、移送パイプ１４を経て計数装置６５を通過する魚はその数が計数されて表示されるので、所要数の魚が水槽Ａに移動したことを確認後、魚を頭から移送パイプに進入させる手段５０の操作を停止すれば良い。
【００４０】
【実施例３】
本第３実施例の活魚移送装置は請求項３に示されるもので、移送元水槽の水面に比べて水面が高所にある移送先水槽に活魚を移送する場合に利用される。
なお、上記第１実施例の説明で用いた図１に示した部分と同一部分には同一符号を付し、ここでは重複する説明を省略する。
【００４１】
図７において、１４は一側先端が群れを成して泳ぐようになった稚魚又は成魚が飼育される移送元水槽Ｂの水中に臨まされ他側先端は移送元水槽Ｂの水面より水面が高所とされる移送先水槽Ａの水中に臨まされる透明の可撓性を有す移送パイプ、魚を頭から移送パイプに進入させる手段５０は移送パイプ１４の先端に連結されて移送元水槽Ｂの水中を上下動自在とされる泳行範囲縮減手段を兼ね、黒色（魚と対向する面の色は明度の低い色が好ましい）の遮光率７０％以上のプラスチック製の板材から成る活魚導入部材２１とこの活魚導入部材２１を上下動させる手段とから成る。６１は移送パイプ１４の最高所に貫通される空気の排気口と連通される管路に接続され移送パイプ１４の中空部内の空気を排気できる真空ポンプ。
６２は移送先水槽Ａと移送元水槽Ｂとの水中を連通する管路の途中に接続される排水ポンプ、１０１は管路を上昇する水位を検出できるフロートスイッチ、１０２はフロートスイッチ１０１が水位を検出すると水が真空ポンプ６１の方に進行しないように管路を遮断できる電磁バルブである。
【００４２】
本実施例の作用は第１実施例と同様であり、真空ポンプ６１を作動して移送パイプ１４の中空部内の空気を排気するとサイホンの原理により移送パイプ１４の中空部内に水が充満されて移送先水槽Ａ内の水が移送パイプ１４を介して移送元水槽Ｂに向かって流れる。一方、排水ポンプ６２を作動して移送元水槽Ｂ内の水を移送先水槽Aに向かって排出して移送先水槽Ａ内の水位を維持させる。
次いで、魚を頭から移送パイプに進入させる手段５０を作動させて、移送パイプ１４の先端に連結される泳行範囲縮減手段を兼ね、黒色の遮光率７０％以上のプラスチック製板材から成る活魚導入部材２１を移送パイプの先端と共に沈下させると魚は明るさと噴流を感じて移送パイプの入り口に頭を向け、泳行水域の漸減に伴い危機感を持ち頭から移送パイプ１４に形成される水路に進入して明るく天側が開放される移送先水槽Ａに移動する。
【００４３】
なお、実施例１の変形の実施態様例として、図８に示す第４実施例の活魚移送装置は、中空部に魚が通行可能な水路が形成される透明な可撓性を有す移送パイプ１４と、該移送パイプ１４の網製生け簀から成る移送元水槽Ｂの水中に水没される先端に着脱自在に連結され魚を頭から移送パイプ１４に進入させる手段５０と、前記移送パイプ１４の略最高所に設けられる移送パイプ１４の中空部内の水又は／及び空気の排出口と、前記移送パイプ１４に設けられ軸心が移送パイプ１４の中空部内の移送元水槽Ｂ側を向かされた水の注入口と、前記排出口と移送パイプ１４の中空部内の水又は／及び空気の出口とを連絡する管路に設けられた第１方向切換弁１６・第２方向切換弁１８と、第１方向切換弁１６と第２方向切換弁１８の間の管路に設けられ前記移送パイプ１４の中空部内の空気も吸気できる自吸式ポンプ１５と、第１方向切換弁１６に連絡された外部から水を吸込む管路３８と、第２方向切換弁１８と前記注入口とを連絡する管路３５とを備え、外部から吸込んだ水を注入口を介して移送パイプ１４の中空部内に注入して該移送パイプに形成される水路を通る魚の泳力より小さい水流を付与可能とされていることを特徴とする。
【００４４】
なお、魚を頭から移送パイプ１４に進入させる手段５０は、基端が移送パイプ１４の先端に着脱自在に連結され内径が移送パイプ１４の内径と略同一とされる伸縮自在の蛇腹状筒体７０と該蛇腹状筒体７０の先端に着脱自在に連結され内径が移送パイプ１４の内径と略同一とされるリング状の金具７１と該金具７１に柔軟性を有し水を通さない有色（暗色が好ましい）のプラスチックフィルムから成る活魚導入部材７２を介して連結される移送元水槽の内面に略内接される枠体７３と該枠体７３に柔軟性を有し水を通さない有色のプラスチックフィルムから成る隔離部材７４を介して垂下される枠体７５と蛇腹状筒体７０を伸縮させて枠体７３、７５を浮沈させる手段とで構成されている。
【００４５】
この場合は、蛇腹状筒体７０を伸ばして魚を頭から移送パイプ１４に進入させる手段５０を沈下すると、枠体７５が移送元生け簀Ｂの底にまず当接し、続いて枠体７３が隔離部材７４を介して枠体７５に当接し、最後に金具７１が移送元生け簀Ｂの底に当接する順序で泳行範囲が縮減する間に、魚は移送パイプ１４の透明壁を介して入光する明かりと噴流を感じて移送パイプの入口に頭を向け、漸次狭隘化されつつ金具７１より下方に存する隔離部材７４を含む水密材料製の中空体によって囲繞されると共に暗くされることに危機を感じて、移送パイプ１４に形成される水路に頭から進入して明るくしかも外部の海と連絡されている網性生け簀から成る移送先水槽Ａに自力で移動する。
【００４６】
以上の実施例では、移送パイプに形成される水路の全域にわたって移送先水域から移送元水域に向かう水流を発生させたがこれに限るものではない。
【００４７】
図９に示す第５実施例の活魚移送装置は図８の実施例の変形例であり、図８で示す活魚移送装置の移送パイプ１４に形成される水路への水の注入口の軸心を移送パイプ１４の軸心と略直交させた構成である。
この実施例では、図中に矢印で示すように途中から移送先水槽Ａに向かう水流があるので泳力の強い成魚等を移送する場合は、移送先水槽Ａに向かう水流がある部分の移送パイプの内径は魚が方向転換できないサイズにすると良い。
【００４８】
また、図１０に示す第６実施例の活魚移送装置は、一側先端が移送先水槽Ａの水中に水没可能とされ中空部に魚が通行可能な水路が形成される透明な可撓性を有す移送パイプ１４と、移送パイプ１４の前記一側先端と対向する他端に先端が着脱自在に連結可能とされる移送元水槽Ｂから着脱可能に延出されて移送元水槽Ｂ内の魚の出口に連通され移送元水槽Ｂ内の魚が通過できるが方向転換できない内径とされる金網パイプ５５（沢山の魚が収容できるよう長いほうが好ましい）と遮光率８０％以上とされる材料から成り天側に備えられた開口部が遮光率８０％異常とされる材料から成る蓋８０によって開閉可能とされると共に水中に臨まされる魚の出口が形成された有底の中空体とされる移送元水槽Ｂとから成る魚を頭から移送パイプに進入させる手段５０と、前記移送パイプ１４の略最高所に設けられる移送パイプ１４の中空部内の水又は／及び空気の排出口と、該排出口と管路を介して接続され前記移送パイプ１４の中空部内の水又は／及び空気を排出できる自吸式ポンプ１５とを備えたことを特徴とする。
【００４９】
この場合は、図中に矢印で示すように移送元水槽Ｂから移送先水槽Ａに向かう水流が途中迄あるので泳力の強い成魚等を移送する場合は、移送先水槽Ａに向かう水流がある部分の移送パイプ１４の内径は魚が方向転換できないサイズにすると良い。
このようにして、自吸式ポンプ１５を作動させて移送パイプ１４の中空部内の空気を水に置換して水路を形成させて自吸式ポンプ１５を停止させた後、蓋８０を閉じて移送元水槽Ｂの水中を暗くすると魚は明るい金網パイプ５５に頭を向ける。さらに、外部から新鮮な水が通り且つ光が入光して明るい金網パイプ５５の中空部に魚が頭から進入し直列に進行する。
次いで、図示しない金網パイプ５５に進入した魚の数を検出する手段が予めプログラムされた範囲の魚の数を検出して図示しないコントローラに信号を送るとコントローラが自吸式ポンプ１５を再び作動させて移送パイプ１４の水路内の水を吸引してチューブ３４から排出する。
これにより、吸引流が発生している移送パイプ１４、金網パイプ５５の水路に居る魚は吸引されて方向転換を試みながら頭から進行するが対向流に遭遇した途端、自然な姿勢に戻りそのまま移送先水槽Ａに移動していく。
【００５０】
なお、上記実施例では、魚を頭から移送パイプに進入させる手段として移送元水槽Ｂの水中を暗くする一方、移送パイプ１４に形成される水路を明るくするだけの構成としたが、第１実施例と類似の泳行範囲縮減部材が蓋８０を閉じた状態で金網パイプ５５の入口に向かって近接離反可能に配設され該泳行範囲縮減部材と移送元水槽の外部に備えられる駆動手段とを連結して駆動手段を作動させると泳行範囲縮減部材が金網パイプ５５に近接して魚の泳行域を縮減できる手段を追加しても良い。これにより、確実・高速に魚を金網パイプ５５を介して移送パイプ１４に移動させることができる。
【００５１】
なお、魚を頭から移送パイプに進入させる手段の他の実施態様例を図１１を用いて説明する。
本魚を頭から移送パイプに進入させる手段は、浮上可能なフロート８７から水中に垂下され天側が開口されると共に底面（又は側面）に魚が通過可能に開口され内面暗色の遮光率７０％以上の材料で形成される中空体８５と中空体８５の底（又は側面）に連結されて魚が通過可能とされる開口と連通される透明材料から成る移送パイプ１４と天側の開口を開閉可能とされる遮光率７０％以上の材料から成る蓋８６とで構成される。
この際、中空体８５の底部外周に圧縮空気の供給により膨縮自在とされる柔軟性材料から成る中空上の浮力体を連結させて圧縮空気を供給すると浮力体が膨張して中空体８５の底面を浮上させて魚の泳行範囲を縮減できるようにしたり、また、中空体８５の中空部を浮沈自在とされる泳行範囲縮減部材を配設し該泳行範囲縮減部材を沈下させて魚の泳行範囲を縮減できるようにしても良いことは言うまでもない。
【００５２】
また、魚を頭から移送パイプに進入させる手段のさらに他の実施態様例を図１２を用いて説明する。
本魚を頭から移送パイプに進入させる手段は、遮光率１００％の材料から成り天側が開口されると共に側面に魚が通過可能に出口が開口され中空部中央側に取付けられる遮光率１００％の材料から成る隔壁８１に前記出口と対向されて魚が通行可能な孔が貫通される隔壁８１が備えられた水密材料製の移送元水槽Ｂと隔壁８１と移送元水槽Ｂの内壁との間に橋架されて前記出口と前記孔とを連通する網状壁製のパイプ８２と移送元水槽Ｂの側面に接続され前記出口と連通される透明の材料から成る移送パイプ１４と隔壁が臨まされ魚が収容される中空部の開口部を開閉可能とされる蓋８０で構成される。
【００５３】
なお、上記実施例の移送パイプに形成され移送元水槽へ向かう水流のある水路内に該水路内を進退自在とされる移動子を配設すると該水路を通って移動してきた魚が一時的に腹を天に向ける魚や魚種が皆無になると共に水路内の魚を確実に移動させることができるという従来効果の他に、移動子の移動速度より速く魚が移動するので活魚移送の高速化ができる効果がある。
【００５４】
【発明の効果】
以上詳述したように、本発明の活魚移送装置に形成される水路に水流を発生させ、魚が流れに逆らう方向に頭を向ける習性又は／及び暗闇より明るさを求めて移動する習性を利用するようにしたので、水路内において十分な酸素の供給を受ける活魚が自然な動作で自力で移動する。これにより、活魚を移動させるための手段が簡素になる。また、活魚を傷付けずに移送することができる。さらに、自力で泳ぐことができる成魚であれば魚体の大きい成魚でも移送できるので汎用性が極めて高くなる。さらにまた、高精度の計測装置の応用が可能になる等実用的に優れた効果を奏する。
【図面の簡単な説明】
【図  １】本発明の第１実施例を示す活魚移送装置の要部断面図である。
【図  ２】第１実施例の活魚移送装置の動作説明図である。
【図  ３】第１実施例の活魚移送装置の動作説明図である。
【図  ４】第１実施例の活魚移送装置の動作説明図である。
【図  ５】第１実施例の活魚移送装置の動作説明図である。
【図  ６】本発明の第２実施例を示す活魚移送装置の要部断面図である。
【図  ７】本発明の第３実施例を示す活魚移送装置の要部断面図である。
【図  ８】本発明の第４実施例を示す活魚移送装置の要部断面図である。
【図  ９】本発明の第５実施例を示す活魚移送装置の要部断面図である。
【図１０】本発明の第６実施例を示す活魚移送装置の要部断面図である。
【図１１】本発明の魚を移送パイプに頭から進入させる手段の実施態様例を示す要部断面図である。
【図１２】本発明の魚を移送パイプに頭から進入させる手段の他の実施態様例を示す要部断面図である。
【符号の説明】
１  本体                            ２  仕切板
３  前室                            ４  後室
５  入口側パイプ接続口              ６  軸受け
７  軸                              ８  第２シャッタ
９  活魚出口                      １０  第１シャッタ
１１  エアシリンダ            １２、１３  照明装置
１４  移送パイプ                    １５  自吸式ポンプ
１６  第１方向切換弁                １７  第３方向切換弁
１８  第２方向切換弁                １９  第４方向切換弁
２０  流量調節弁                    ２１  活魚導入部材
２２  泳行範囲縮減手段              ４０  フロートスイッチ
４１  真空破壊弁
５０  活魚を頭から移送パイプに進入させる手段
５１  中空体                        ５２  針金
５３  操作棒                        ５４  エルボパイプ
５５  金網パイプ                    ５６  蓋
５７  入口側パイプ接続部            ５８  操作棒
５９  追出部材                      ６０  追出し手段
６１  真空ポンプ                    ６２  排水ポンプ
６５  計数装置蛇腹状筒体            ７１  金具
７４  隔離部材                      ７５  枠体
８０  蓋                            ８１  隔壁
８２  網状壁製のパイプ              ８５  中空体
８６  蓋                            ８７  フロート
Ａ  移送先水槽                      Ｂ  移送元水槽
【図１】
0003985014.tif 000002
【図２】
0003985014.tif 000003
【図３】
0003985014.tif 000004
【図４】
0003985014.tif 000005
【図５】
0003985014.tif 000006
【図６】
0003985014.tif 000007
【図７】
0003985014.tif 000008
【図８】
0003985014.tif 000009
【図９】
0003985014.tif 000010
【図１０】
0003985014.tif 000011
【図１１】
0003985014.tif 000012
【図１２】
0003985014.tif 000013